(57)【要約】【課題】  反射板の角度調整を容易におこなうとともに、簡単な構成で経年変化による調整ズレを防止できる外構フェンス防犯装置を提供すること。【解決手段】  送信部から送信された赤外線を受信部で受信する際に侵入者により赤外線が遮られたときにこれを検知して報知を行なう防犯装置である。互いに交叉する外構フェンスの一辺と他辺とに前記送信部と受信部とをそれぞれ配置し、その一辺と他辺の交叉点に、該送信部からの赤外線を該受信部に向けて反射する反射板及びその反射板の回転軸が外郭ケースに回転自在に収容された反射ユニットを配置して成る外構フェンス防犯装置である。外郭ケース５の上面に回転軸３の一端を露出させて反射板２による赤外線の反射角度調節部４とし、該外郭ケース５とは別体の同反射角度調節部４を覆うカバー体６を配設する。【選択図】図１
2006145310.tif 000002
【特許請求の範囲】
【請求項１】
送信部から送信された赤外線を受信部で受信する際に侵入者により赤外線が遮られたときにこれを検知して報知を行なう防犯装置であって、
互いに交叉する外構フェンスの一辺と他辺とに前記送信部と受信部とをそれぞれ配置し、その一辺と他辺の交叉点に、該送信部からの赤外線を該受信部に向けて反射する反射板及びその反射板の回転軸が外郭ケースに回転自在に収容された反射ユニットを配置して成る外構フェンス防犯装置において、
前記外郭ケースの上面に前記回転軸の一端を露出させて前記反射板による前記赤外線の反射角度調節部とし、該外郭ケースとは別体の同反射角度調節部を覆うカバー体を配設したことを特徴とする外構フェンス防犯装置。
【請求項２】
前記回転軸の一端外周縁に凹凸状を形成し、前記カバー体内側に、前記外郭ケースへ装着したときに同凹凸状に係合して回転軸を固定する軸固定部を形成したことを特徴とする請求項１記載の外構フェンス防犯装置。
【発明の詳細な説明】
【技術分野】
【０００１】
本発明は、送信部から送信された赤外線を受信部にて受信する方式の外構フェンス防犯装置に関し、特に、互いに交叉する外構フェンスの一辺と他辺とに送信部と受信部をそれぞれ配置し、その一辺と他辺の交叉点に、送信部からの赤外線を受信部に向けて反射する反射ユニットを配置した構成の外構フェンス防犯装置に関するものである。
【背景技術】
【０００２】
住宅の外構フェンスにおける防犯装置として、送信部から送信された赤外線を受信部にて受信する方式の外構フェンス防犯装置が知られている。この場合、敷地のコーナー部となる、互いに交叉する外構フェンスの一辺と他辺との交叉点においては、上記送信部、受信部のそれぞれを設置する必要がある。
【０００３】
したがって、器具の個数が増えることで、外部から見て外構フェンス防犯装置が目立ちやすく、見た目にも物々しいイメージが生じるなど、住宅の外構意匠を低下させる恐れがある。さらに、近隣の住人に対して監視による威圧感も与えることとなり、居住環境の全体イメージが損なわれるといったことも懸念される。
【０００４】
そこで本出願人は、本発明に至る過程で、図５に示すような、一側面に赤外線Ａを送信する送信部１０１を有し、且つ他側面には赤外線Ａを受信する受信部１０２を有する送受信一体型の検知ユニット１００を用いてフェンスの外周を連続的に警戒する構成の外構フェンス防犯装置の研究を経て、さらに、互いに交叉する外構フェンス７の一辺７１と他辺７２とに送信部１０１と受信部１０２をそれぞれ配置し、フェンスコーナー部となるその一辺７１と他辺７２の交叉点には、赤外線光軸調整用の反射板を回転可能に収納した反射ユニット２００を配置する構成の外構フェンス防犯装置の研究をおこない、上記反射板の角度調整により赤外線Ａの進行方向を変更、調整する方式の開発をおこなっている。
【０００５】
ところで、上記反射板の光軸を調整し固定する場合、経年変化による調整ズレの発生により、赤外線Ａの送信不具合に至ることが懸念される。また、調整ズレの発生を抑えるためには構造が複雑となり、コストアップも懸念される。
【特許文献１】実開平６−６７９０８号公報
【特許文献２】特開平６−４４４６８号公報
【発明の開示】
【発明が解決しようとする課題】
【０００６】
本発明は上記の従来の問題点に鑑みてなされたものであり、その課題は反射板の角度調整を容易におこなうとともに、簡単な構成で経年変化による調整ズレを防止できる外構フェンス防犯装置を提供することにある。
【課題を解決するための手段】
【０００７】
前記課題を解決するために本発明は、送信部から送信された赤外線を受信部で受信する際に侵入者により赤外線が遮られたときにこれを検知して報知を行なう防犯装置であって、互いに交叉する外構フェンスの一辺と他辺とに前記送信部と受信部とをそれぞれ配置し、その一辺と他辺の交叉点に、該送信部からの赤外線を該受信部に向けて反射する反射板及びその反射板の回転軸が外郭ケースに回転自在に収容された反射ユニットを配置して成る外構フェンス防犯装置において、前記外郭ケースの上面に前記回転軸の一端を露出させて前記反射板による前記赤外線の反射角度調節部とし、該外郭ケースとは別体の同反射角度調節部を覆うカバー体を配設したことを特徴としている。
【０００８】
そして、前記回転軸の一端外周縁に凹凸状を形成し、前記カバー体内側に、前記外郭ケースへ装着したときに同凹凸状に係合して回転軸を固定する軸固定部を形成することが好ましい。
【発明の効果】
【０００９】
互いに交叉する外構フェンスの一辺と他辺とに、赤外線を送信する送信部と同赤外線を受信する受信部とをそれぞれ配置し、その一辺と他辺の交叉点に、該送信部からの赤外線を該受信部に向けて反射する反射板及びその反射板の回転軸が外郭ケースに回転自在に収容された反射ユニットを配置して、侵入者により赤外線が遮られたときにこれを検知して報知を行なう外構フェンス防犯装置の、反射ユニットの外郭ケース上面に前記回転軸の一端を露出させて、前記反射板による前記赤外線の反射角度調節部が、該外郭ケースとは別体のカバー体にて覆われるので、容易に外部から調節することができ、また、カバー体を配設したことにより、雨水等の侵入を防止し、調整部に外力がかからないようにする効果がある。
【００１０】
また、回転軸の一端外周縁に凹凸状を形成し、カバー体内側には外郭ケースへ装着したときに同凹凸状に係合して回転軸を固定する軸固定部を形成した結果として、カバー体を外郭ケースへ装着したときに、軸固定部が凹凸状に係合して回転軸を固定することにより、経年変化や振動で光軸がずれることもなく、複雑なノッチ機構も不要となり、コスト低減が可能となり、さらに、回転軸の一端外周縁に凹凸状を形成したことにより調整する時の手触りが良くなり正確な調整が出来るという効果も奏する。
【発明を実施するための最良の形態】
【００１１】
本発明の上記および他の効果、特徴および利点を明確にすべく、添付した図面を参照しながら、本発明の実施の形態を以下に詳述する。
【００１２】
本発明の外構フェンス防犯装置は、背景技術の項において説明したものと同じく、図５に示したように、送信部（１０１）から送信された赤外線（Ａ）を受信部（１０２）で受信する際に侵入者により赤外線（Ａ）が遮られたときにこれを検知して報知を行なう防犯装置であって、互いに交叉する外構フェンス（７）の一辺（７１）と他辺（７２）とに前記送信部と受信部とをそれぞれ配置し、その一辺と他辺の交叉点に、該送信部からの赤外線を該受信部に向けて反射する反射板及びその反射板の回転軸が外郭ケースに回転自在に収容された反射ユニットを配置して成る外構フェンス防犯装置において、図１に示すように、外郭ケース５の上面に回転軸３の一端を露出させて反射板２による前記赤外線Ａの反射角度調節部４とし、外郭ケース５とは別体の同反射角度調節部４を覆うカバー体６を配設した反射ユニット１としている。
【００１３】
また、前記回転軸３の一端外周縁に凹凸状３１を形成し、前記カバー体６内側に、前記外郭ケース５へ装着したときに同凹凸状３１に係合して回転軸３を固定する軸固定部６１を形成してもいる。
【００１４】
詳しくは、この外構フェンス防犯装置は、住宅の外構フェンス等の防犯エリアを連続的に警戒する赤外線検知方式のもので、図５に示したような、一側面に送信部を有し且つ他側面に受信部を有する送受信一体型、および一側面に受信部のみを有する検知ユニットと、反射ユニット１とで主体が構成されている。
【００１５】
上記検知ユニットの送信部には、上記赤外線（Ａ）を放つ発光ダイオードからなる上下２個の投光素子が設けられ、また受信部には、同赤外線を受光するフォトトランジスタからなる上下２個の受光素子が設けられている。そして、この送受信一体型の検知ユニットを、対向する一方の検知ユニットの送信部と他方の検知ユニットの受信部とが向かい合わせとなるように上記フェンスの複数箇所に隔設することで、送信部から送信された赤外線を受信部で受信する際に侵入者により赤外線が遮られたときにこれを検知して報知を行なうものである。
【００１６】
また、上記のように１つの検知ユニットに送受信機能をもたせることにより、検知ユニットの数が半減して外部から見て目立ちにくくなり、優れた意匠性が得られると同時に住環境イメージが損なわれないようにできる構造となる。なお、赤外線Ａを上下２本（ダブルビーム）とする理由は、鳥などの小動物や落ち葉、外乱等による誤動作を防止するためである。
【００１７】
反射ユニット１は、図５に示すようにフェンスコーナー部に設置されるもので、図１に示すように、上下一対の赤外線光軸調整用の反射板２と、反射板２の回転軸３と、回転軸３の一端であって反射板２を縦軸回りに回転操作する、外郭ケース５の上面に露出させる回転軸３の一端となる赤外線の反射角度調節部４とを備えており、反射板２と回転軸３の一体物を、この場合、合成樹脂製の外郭ケース５を構成するベース５１に取り付けた状態で赤外線透過性合成樹脂製のカバー５２で覆うようにしている。
【００１８】
ベース５１およびカバー５２の上面には、回転軸３の一端を外郭ケース５外部へ挿通し突出させる開口を形成する切欠きが設けられており、当該開口からが突出する反射角度調節部４を外部から操作可能とすることで、回転軸３を回転させて反射板２の角度調整を容易に行なえるようになっている。
【００１９】
回転軸３は、この場合、反射角度調節部４となる外周縁に凹凸状３１をもった一端から垂下する略棒状の上下の中間位置に、反射板２、２を係止する係止構造を有して成り、下端が外郭ケース５下面に設けられる軸受けに軸支され、外郭ケース５内に回転自在に収容される。
【００２０】
カバー体６は、外郭ケース５とは別体のもので、この場合、図２に示すように、上記回転軸３の凹凸状３１に係合して回転軸３を固定するリブ状の軸固定部６１を略中心位置に有して、合成樹脂にて形成されている。このカバー体６は、外郭ケース５上面に横方向にスライドさせて係止し装着されて、上記反射角度調節部４を覆うように配設される。このように、外郭ケース５とは別体の反射角度調節部４を覆うカバー体６を配設したことにより、調整作業が容易である上に、雨水等の侵入を防止し、反射角度調節部４に外力がかからないように保護する効果がある。
【００２１】
上記構成の外構フェンス防犯装置は、互いに交叉する外構フェンスの一辺と他辺とに、赤外線を送信する送信部と同赤外線を受信する受信部とをそれぞれ配置し、その一辺と他辺の交叉点に、該送信部からの赤外線を該受信部に向けて反射する反射板及びその反射板の回転軸３が外郭ケース５に回転自在に収容された反射ユニット１を配置して、侵入者により赤外線が遮られたときにこれを検知して報知を行なう。
【００２２】
このとき、反射ユニット１の外郭ケース５上面に露出される回転軸３の一端となる反射角度調節部４を外部から調節し反射板２による赤外線の反射方向を調整し、その後、図３に示すように、外郭ケース５とは別体のカバー体６にて反射角度調節部４を覆うが、カバー体６を外郭ケース５へ装着したときに、図４に示すように、軸固定部６１が凹凸状３１に係合して回転軸３を固定するのである。
【００２３】
したがって、以上説明した外構フェンス防犯装置によると、反射ユニット１の外郭ケース５上面に回転軸３の一端を露出させて、反射板２による赤外線の反射角度調節部４が、外郭ケース５とは別体のカバー体６にて覆われるので、容易に外部から調節することができ、また、カバー体を配設したことにより、雨水等の侵入を防止し、調整部に外力がかからないようにする効果がある。
【００２４】
また、回転軸３の一端外周縁に凹凸状３１を形成し、カバー体６内側には外郭ケース５へ装着したときに同凹凸状３１に係合して回転軸３を固定する軸固定部６１を形成した結果として、カバー体６を外郭ケース５へ装着したときに、軸固定部６１が凹凸状３１に係合して回転軸３を固定することにより、経年変化や振動で光軸がずれることもなく、複雑なノッチ機構も不要となり、コスト低減が可能となり、さらに、回転軸３の一端外周縁に凹凸状３１を形成したことにより調整する時の手触りが良くなり正確な調整が出来るという効果も奏する。
【００２５】
なお、本発明は上記各実施例に限定されず、例えば、凹凸状３１は、図示した角状以外に山切り形状にする等、本発明の技術思想の範囲内において、各実施例は適宜変更され得ることは言うまでもない。
【図面の簡単な説明】
【００２６】
【図１】本願発明の一実施形態である外構フェンス防犯装置の反射ユニットの、概略構成を示す斜視図。
【図２】同外構フェンス防犯装置の反射ユニットの要部である軸固定部を示す側面図。
【図３】同外構フェンス防犯装置の反射ユニットの、カバー体を示す斜視図。
【図４】同外構フェンス防犯装置の反射ユニットの、回転軸を固定する軸固定部を示す説明図で、（ａ）は軸固定部の係合状態、（ｂ）はその拡大した状態を示す。
【図５】外構フェンス防犯装置の設置状態全体を示す斜視図。
【符号の説明】
【００２７】
１      反射ユニット
２      反射板
３      回転軸
４      反射角度調節部
５      外郭ケース
６      カバー体
６１      軸固定部
【図１】
2006145310.tif 000003
【図２】
2006145310.tif 000004
【図３】
2006145310.tif 000005
【図４】
2006145310.tif 000006
【図５】
2006145310.tif 000007